(57)【特許請求の範囲】
【請求項１】
上下に隣り合う複数の外装材のうち、最下段に位置する外装材を建物の下地に固定する外装材最終取付具であって、
前記下地の外壁面に取り付けられる固定部と、
前記固定部から前方へ突出して延び、前記外装材を載せ下方への移動を規制する水平部と、
前記水平部の先端から上方に延び、前記外装材に係合して前記外装材の前方への移動を規制する上側係止部とを備え、
該外装材最終取付具の前記固定部には、前記外装材を前記下地側に取り付けるための留め具を挿通させることのできる取付孔が、前記水平部の下側に設けられ、
前記固定部の前記取付孔が設けられている箇所が前記下地の外壁面に対して傾斜して形成された傾斜面であり、前記傾斜面の前記取付孔が設けられている箇所を前記固定部の縦方向で断面視したとき、前記取付孔が前記傾斜面に対して垂直に形成されていることを特徴とする外装材最終取付具。
【請求項２】
建物の下地に外装材取付具が上下に間隔をおいて複数取り付けられ、
前記下地に、複数の外装材が前記各外装材取付具に係合されて上下に並ぶように取り付けられている外装材取付構造において、
請求項１に記載の外装材最終取付具を、前記各外装材のうち最下段に位置する外装材に取り付けることを特徴とする外装材取付構造。
【請求項３】
請求項２に記載の外装材取付構造で使用され、
上下に隣り合う上側の外装材と下側の外装材とを嵌合した状態で建物の下地に固定する外装材取付具であって、
前記下地の外壁面に取り付けられる固定部と、
前記固定部から前方へ突出して延び、前記上側の外装材の下方への移動を規制し、かつ下側の外装材の上方への移動を規制する水平部と、
前記水平部の先端から上方に延び、前記上側の外装材に係合して前記外装材の前方への移動を規制する上側係止部と、
前記水平部の先端から下方に延び、前記下側の外装材に係合して前記外装材の前方への移動を規制する下側係止部とを備え、
該外装材取付具の前記固定部には、前記外装材を前記下地側に取り付けるための留め具を挿通させることのできる取付孔が、前記水平部の下側に設けられていることを特徴とする外装材取付具。
【請求項４】
請求項３に記載の外装材取付具において、
前記上側係止部は、前記上側の外装材に係合して前記外装材を前記下地側へ弾性的に押圧する弾性押圧部を備えていることを特徴とする外装材取付具。
【請求項５】
請求項４に記載の外装材取付具において、
前記弾性押圧部は、その係合面に前記押圧のために前記外装材に当接する突起を備えていることを特徴とする外装材取付具。
【発明の詳細な説明】
【技術分野】
【０００１】
本発明は、一般住宅や集合住宅などの建築物の外壁に外装材を取り付けるための外装材取付具および外装材取付構造に関する。
【背景技術】
【０００２】
従来、建築物の外壁や破風等の美観を向上させるために種々の外装材が用いられている。この外装材の外壁（下地）への留め付け方法は、ビスや釘で直接下地に打ち付けて留め付ける施工法が一般的であった。しかし、この方法では、留め付け材であるビスや釘の頭部が外部より見えてしまい建築物の美観を損なってしまう。そこで、近年、かかる外装材の取り付けは、下地に外装材取付具を装着した後に該外装材取付具を介して外装材を取り付ける施工法に移行してきている。
このような外装材取付具として、外装材取付具に弾性を有する係止部を設け、該係止部に外装材の係合突起を嵌合することにより、該係止部が弾性変形して外装材を下地側へ押圧し、該外装材を下地に固定するものが知られている（例えば、特許文献１参照）。
【０００３】
しかし、上述の外装材取付具では、該係止部が弾性変形して外装材を押圧して固定する構造のため、外装材の係合突起と外装材取付具の係止部との弾性力が弱いと、施工後に外装材が偶発的に脱落したり、ガタツキの原因となる。また、外装材の係合突起と外装材取付具の係止部との弾性力を高めると、外装材を取り付ける際に大きな力が必要となり作業性が悪化する。ここで、係止部が弾性変形しないものであれば、施工後に外装材が偶発的に脱落したり、外装材を取り付ける際に大きな力が必要になるといった問題は生じないが、寸法バラツキによって規格寸法よりも小さくなった外装材の係合突起を外装材取付具の係止部に係合する場合、外装材の係合突起と係止部との間に隙間を生じてガタツキの原因となる懸念がある。
そこで、外装材取付具に、外装材に係合して該外装材の前方への移動を規制する係止部と、外装材に係合して該外装材を下地側へ弾性的に押圧する弾性押圧部とを設けるようにした外装材取付具が提案されている（例えば、特許文献２参照）。このような外装材取付具によれば、外装材を下地に対してガタつくことなく取付可能である。
【０００４】
【特許文献１】実用新案登録第２５０７０２８号公報
【特許文献２】特開２００４−３２４３０２号公報
【発明の開示】
【発明が解決しようとする課題】
【０００５】
図９、図１０に、特許文献２に記載された外装材取付具１００を示す。図９は、斜視図であり、図１０は、正面図である。外装材取付具１００は、横長の略長方形の金属板を切断加工および曲げ加工して形成されており、下地２２０（図１１参照）の外壁面に取り付けられる固定部１１０と、該固定部１１０から切り起こされて上下方向の略中央から前方に突出して延びた水平部１２０と、該水平部１２０に続く部分に切れ目が入れられて中央部と左右両端部とに３分割され、左右両端部を該水平部１２０の先端から上方に折り曲げて前傾状態に形成された２つの立上り部１３０と、該水平部１２０の先端から中央部を前方に傾斜した状態になるように下方に折り曲げて形成された下側係止部１４０とを備えている。固定部１１０には、外装材取付具１００を下地２２０の外壁面に固定するためのネジ１５０（図１１参照）を挿通する取付孔１６０が、水平部１２０の上部長手方向に間隔をあけて複数設けられている。
複数の外装材２００を下地２２０に固定していくには、図１１に示すように、外装材取付具１００を外装材２００の上部に嵌合させた状態で、取付孔１６０を介してネジ１５０により下地２２０に固定する。すなわち、各外装材２００が下方から上方に向かって順番に張り合わせられていく施工方法となる。
【０００６】
ところで、一般住宅や集合住宅はリフォームすることも多く、上述の外装材２００についても張り替えたい場合がある。この場合、上下に連なる多数の外装材２００のうち、外壁の下側に位置するものがどうしても汚れやすい。従って、汚れた部分の各外装材２００のみを取り替えることが経済的である。
しかしながら、前記した外装材取付具１００を用いた施工方法では、外装材２００を下からはずすことはできず、上から全部の外装材２００をはずすことしかできない。それ故、施工上も煩雑であり、リフォームコストも高額なものとなる。
そこで、本発明の目的は、建築物の外壁に対して上下に連なるように取り付けられた複数の外装材に対して、下から上に順に外すことが可能となるような外装材取付具、最下段に位置する外装材を固定するために用いられる外装材最終取付具、およびこれらの取付具を用いた外装材取付構造を提供することにある。
【課題を解決するための手段】
【０００７】
本発明の外装材最終取付具は、上下に隣り合う複数の外装材のうち、最下段に位置する外装材を建物の下地に固定する外装材最終取付具であって、前記下地の外壁面に取り付けられる固定部と、前記固定部から前方へ突出して延び、前記外装材を載せ下方への移動を規制する水平部と、前記水平部の先端から上方に延び、前記外装材に係合して前記外装材の前方への移動を規制する上側係止部とを備え、該外装材最終取付具の前記固定部には、前記外装材を前記下地側に取り付けるための留め具を挿通させることのできる取付孔が、前記水平部の下側に設けられ、前記固定部の前記取付孔が設けられている箇所が前記下地の外壁面に対して傾斜して形成された傾斜面であり、前記傾斜面の前記取付孔が設けられている箇所を前記固定部の縦方向で断面視したとき、前記取付孔が前記傾斜面に対して垂直に形成されていることを特徴とする。
この発明によれば、外装材最終取付具の固定部には、外装材を下地側に取り付けるための留め具を挿通させることのできる取付孔が、水平部の下側に設けられている。従って、この外装材最終取付具は、留め具を外すだけで外装材とともに容易に下地側からはずすことができる。
【０００８】
本発明の外装材取付構造は、建物の下地に、外装材取付具が上下に間隔をおいて複数取り付けられ、前記下地に、複数の外装材が前記各外装材取付具に係合されて上下に並ぶように取り付けられている外装材取付構造において、外装材最終取付具を各外装材のうち最下段に位置する外装材に取り付けることを特徴とする。
この外装材最終取付具を上述の各外装材のうち最下段に位置する外装材に取り付けることにより、下から任意の位置の高さの外装材まで取り外すことのできる外装材取付構造を提供することができる。
本発明の外装材取付構造では、外装材取付具を上下に間隔をおいて複数取り付け、また下地に対して、複数の外装材が各外装材取付具に係合されて上下に並ぶように取り付ける。それ故、各外装材は、上から順に下地側に取り付けていくことが可能となる。そして、各外装材を張り替えたい場合は、下から順に各外装材を外していくことが可能となる。結局、下から任意の位置の高さの外装材まで取り外すことができるので、施工上も簡便であり、経済的である。
【０００９】
本発明は、外装材取付構造で使用され、上下に隣り合う上側の外装材と下側の外装材とを嵌合した状態で建物の下地に固定する外装材取付具であって、前記下地の外壁面に取り付けられる固定部と、前記固定部から前方へ突出して延び、前記上側の外装材の下方への移動を規制し、かつ下側の外装材の上方への移動を規制する水平部と、前記水平部の先端から上方に延び、前記上側の外装材に係合して前記外装材の前方への移動を規制する上側係止部と、前記水平部の先端から下方に延び、前記下側の外装材に係合して前記外装材の前方への移動を規制する下側係止部とを備え、該外装材取付具の前記固定部には、前記外装材を前記下地側に取り付けるための留め具を挿通させることのできる取付孔が、前記水平部の下側に設けられていることを特徴とする。
【００１０】
本発明の外装材取付具によれば、該外装材取付具の固定部には、外装材を下地側に取り付けるための留め具を貫通させることのできる取付孔が、水平部の下側に設けられている。従って、各外装材は、上から順に下地側に取り付けていくことが可能となる。そして、各外装材を張り替えたい場合は、下から順に各外装材を外していくことが可能となる。結局、下から任意の位置の高さの外装材まで取り外すことができるので、施工上も簡便であり、経済的である。なお、留め具としてはネジや釘等が好適である。
【００１１】
本発明の外装材取付具では、前記上側係止部は、前記上側の外装材に係合して前記外装材を前記下地側へ弾性的に押圧する弾性押圧部を備えていることが好ましい。
この構成の発明によれば、外装材取付具が、外装材に係合して該外装材の前方への移動を規制する係止部と、外装材に係合して該外装材を下地側へ弾性的に押圧する弾性押圧部とを備えているので、該弾性押圧部が弾性変形して該外装材を下地側へ押圧し、該外装材を下地に対してガタつくことなく固定することができるとともに、弾性力が弱まったり偶発的な外力が該外装材に作用しても、該係止部によって該外装材の前方への移動が規制され、その脱落が防止される。また、外装材に寸法バラツキがあっても、弾性押圧部が弾性変形して該外装材を下地側へ押圧するため、寸法バラツキを吸収して該外装材を下地に対してガタつくことなく固定することができる。
【００１２】
また、本発明の外装材取付具では、前記弾性押圧部は、その係合面に前記押圧のために前記外装材に当接する突起を備えていることが好ましい。
この構成の発明によれば、弾性押圧部が突起を備えており、外装材に当接して押圧するために、外装材の大きさに多少のバラツキがあっても確実に外装材取付具に固定できる。
【発明を実施するための最良の形態】
【００１３】
以下に、本発明の実施形態を図面に基づいて詳細に説明する。
〔外装材取付具の構成〕
図１および図２に、本実施形態に係る外装材取付具１０を示す。図３には、該外装材取付具１０を用いて上下に隣り合う外装材２０，２０を下地２２に取り付けた外装材取付構造を示す。
外装材取付具１０は、横長の略長方形の金属板を切断加工および曲げ加工して形成されている。また、図１〜図３に示すように、外装材取付具１０は、下地２２の外壁面に取り付けられる固定部１１と、該固定部１１から切り起こされて上下方向の略中央から前方に突出して延びた水平部１２と、該水平部１２に続く部分に切れ目が入れられて中央部と左右両端部とに３分割され、左右両端部を該水平部１２の先端から上方に折り曲げて前傾状態に形成された２つの上側係止部１３と、該水平部１２の先端から中央部を前方に傾斜した状態になるように下方に折り曲げて形成された下側係止部１４とを備えている。ここで、図３に示すように上側係止部１３は、水平部１２の上側に載っている外装材２０に係合して外装材２０の前方への移動を規制し、下側係止部１４は、水平部１２の下側に位置する外装材２０に係合して外装材２０の前方への移動を規制する。
【００１４】
固定部１１には、外装材取付具１０を下地２２の外壁面に固定するためのネジ１５を挿通する取付孔１６が、水平部１２の下側長手方向に間隔をあけて複数設けられている。そして、固定部１１を補強するための補強板１７が、該固定部１１の表面に固着されている。図３に示すように、該補強板１７の厚さは、該ネジ１５を取付孔１６に挿通させたときに、該固定部１１の表面に係合してはみ出した該ネジ１５のネジ頭が外装材２０と干渉しないように、該ネジ１５のネジ頭の高さよりも厚くなっている。なお、該外装材取付具１０を下地２２に取り付けるには、ネジ止めに限定する必要はなく、釘を打ち込んで係合させてもよい。但し、外装材の付け替えを考慮した場合、ネジのほうが好適である。
ここで、外装材取付具１０は全体を金属板の折り曲げ加工により形成しているので、上側係止部１３は、外装材２０に係合して該外装材２０を下地２２側へ弾性的に押圧する弾性押圧部を兼ねている。
外装材２０の材質としては、繊維強化セメント板、ケイ酸カルシウム板、木片セメント板、スラグセメント板等の無機質板、鉄やアルミニウム等の金属板が好ましく適用できる。
【００１５】
上記外装材２０の上端部（上側の長辺）には、その表面側（図３で左側）を切り欠いてなる雌実部２０ａが設けられている。一方、外装材２０の下端部（下側の長辺）には、その裏面側（図３で右側）を切り欠いてなる雄実部２０ｂが設けられ、該雄実部２０ｂの内側の根本部に断面Ｖ字状の係止溝２０ｃが形成されていて、その内側に相対的に下方へ突出した裏面側の係合突起２０ｄが形成されている。そして、上下に隣り合う２枚の外装材２０，２０同士は、下側の外装材２０における雌実部２０ａ上に上側の外装材２０における雄実部２０ｂを重ね合わせた状態で嵌合されている。そして、雌実部２０ａと雄実部２０ｂとの間には、防水効果を高めるコーキング材２１が設けられている。また、該雌実部２０ａ及び係合突起２０ｄは、外装材取付具１０の上側係止部１３および下側係止部１４の傾斜に対応するテーパーが形成されている。
【００１６】
〔外装材最終取付具の構成〕
図４に、外装材最終取付具５０の構成を示す。外装材最終取付具５０は、最下段に位置する外装材２０を固定すること以外は、外装材取付具１０と実質的に同じ機能を有する。そこで、構造および機能が類似する各部分については、外装材取付具１０と同じ符号を用いて説明する。
外装材最終取付具５０は、横長の略長方形の金属板を切断加工および曲げ加工して形成されている。また、図４、図５に示すように、外装材最終取付具５０は、下地２２の外壁面に取り付けられる固定部１１と、該固定部１１から切り起こされて上下方向の略中央から前方に突出して延びた水平部１２と、端部を該水平部１２の先端から上方に折り曲げて前傾状態に形成された上側係止部１３とを備えている。ここで、図５に示すように上側係止部１３は、水平部１２の上側に載っている外装材２０に係合して外装材２０の前方への移動を規制する。外装材最終取付具５０は、外装材取付具１０と異なり、下側係止部は備えていない。なお、上側係止部１３は、外装材２０に係合して該外装材２０を下地２２側へ弾性的に押圧する弾性押圧部を兼ねている。
固定部１１には、外装材最終取付具５０を下地２２の外壁面に固定するためのネジを挿通する取付孔１６が、水平部１２の下側長手方向に間隔をあけて複数設けられている。
【００１７】
〔外装材取付方法〕
次に、外装材取付具１０を用いた外装材２０の取付方法について説明する。この取付方法は、外装材最終取付具５０を用いた場合もほぼ同様であるので合わせて説明する。
まず、図５に示すように、外装材取付具１０（外装材最終取付具５０）の上側係止部１３を外装材２０の係合突起２０ｄに嵌合させる。次にこの状態のまま、外装材２０の雌実部２０ａを、すでに取り付けられている外装材取付具１０の下側係止部１４に下から嵌合させる。次いで、外装材取付具１０（外装材最終取付具５０）の固定部１１を下地２２の外壁面に当接させる。そして、図６に示すようにネジ１５により下地２２に外装材取付具１０（外装材最終取付具５０）および外装材２０を固定する。
【００１８】
〔外装材取り外し方法〕
各外装材２０を下地２２から取りはずす場合は、上述の取付方法の逆を行えばよい。すなわち、まず、外装材最終取付具５０のネジ１５を外して、外装材最終取付具５０を下地２２から剥がせば、外装材最終取付具５０の上に固定されていた外装材２０はフリーの状態になり、その上を押さえていた外装材取付具１０から容易に外すことができる。そして、この操作を繰り返すことにより任意の高さに位置する外装材２０まで取り外すことができる。
【００１９】
上述した実施形態によれば、以下のような効果を奏する。
外装材取付具１０の固定部１１には、外装材２０を下地２２側に取り付けるためのネジ１５を挿通させることのできる取付孔１６が、水平部１２の下側に設けられている。従って、各外装材２０は、上から順に下地２２側に取り付けていくことが可能となる。そして、外装材２０を張り替えたい場合は、下から順に各外装材２０を外していくことが可能となる。結局、下から任意の位置の高さの外装材まで取り外すことができるので、施工上も簡便であり、経済的である。
【００２０】
外装材取付具１０は、外装材２０に係合して該外装材２０の前方への移動を規制する上側係止部１３が、外装材２０を下地側へ弾性的に押圧する弾性押圧部の機能を備えているので、上側係止部１３が弾性変形して外装材２０を下地２２側へ押圧し、外装材２０を下地２２に対してガタつくことなく固定することができるとともに、弾性力が弱まったり偶発的な外力が外装材２０に作用しても、上側係止部１３によって外装材２０の前方への移動が規制され、その脱落が防止される。また、外装材２０に寸法バラツキがあっても、上側係止部１３が弾性変形して外装材２０を下地２２側へ押圧するため、寸法バラツキを吸収して外装材２０を下地２２に対してガタつくことなく固定することができる。
また、外装材最終取付具５０も、外装材２０に係合して該外装材２０の前方への移動を規制する上側係止部１３を備えているので、外装材取付具１０と同様の効果を奏する。
【００２１】
なお、以上に説明した態様は、本発明の一態様を示したものであって、本発明は、前記した実施形態に限定されるものではなく、本発明の目的および効果を達成できる範囲内での変形や改良が、本発明の内容に含まれるものであることはいうまでもない。また、本発明を実施する際における具体的な構造および形状などは、本発明の目的および効果を達成できる範囲内において、他の構造や形状などとしても問題はない。
【００２２】
例えば、以下に示すような変形例をも含むものである。
図７に本発明の他の実施形態に係る外装材取付具３０を示す。外装材取付具３０は、横長の略長方形の金属板を切断加工及び曲げ加工して形成されており、下地２２（図８参照）の外壁面に取り付けられる固定部１１と、該固定部１１から切り起こされて上下方向の略中央から前方に突出して延びた水平部１２と、該水平部１２に続く部分に切れ目が入れられて中央部と左右両端部とに３分割され、左右両端部を該水平部１２の先端から上方に折り曲げて前傾状態に形成された上側係止部１３と、該水平部１２の先端から残りの中央部を前方に傾斜した状態になるように下方に折り曲げて形成された下側係止部１４とを備えている。
【００２３】
ここで、上側係止部１３は、外装材２０に係合して該外装材２０を下地２２側へ弾性的に押圧する弾性押圧部を兼ねている。この上側係止部（弾性押圧部）１３は、外装材２０に係合して該外装材２０を下地２２側へ弾性的に押圧するものであり、図７に示すようにその先端近傍には、弾性押圧部１３の内側面から固定部１１側に突出して外装材２０に当接する突起１３１が、弾性押圧部１３の長手方向全幅にわたって形成されている。その他の構成は、前述の実施形態と同様である。
このような、外装材取付具３０によれば、弾性押圧部１３が突起１３１を備えており、外装材２０に当接して押圧するために、外装材２０の大きさに多少のバラツキがあっても確実に外装材取付具３０に固定できる。
なお、本実施形態では、外装材最終取付具５０を外装材取付具１０，３０とは別のものとして説明したが、外装材取付具１０，３０を外装材最終取付具５０の代わりに用いても何ら差し支えない。
【産業上の利用可能性】
【００２４】
本発明は、一般住宅や集合住宅などの建築物の外壁に外装材を取り付けるための外装材取付具として好適に利用することができる。
【図面の簡単な説明】
【００２５】
【図１】本発明の実施形態における外装材取付具を示す斜視図。
【図２】前記実施形態における外装材取付具を示す正面図。
【図３】前記実施形態における外装材取付構造を示す断面図。
【図４】前記実施形態における外装材最終取付具を示す斜視図。
【図５】前記実施形態における外装材最終取付具の取付方法を示す断面図。
【図６】前記実施形態における外装材最終取付具の取付構造を示す断面図。
【図７】前記実施形態の変形例における外装材取付具を示す斜視図。
【図８】前記実施形態の変形例における外装材取付具の取付構造を示す断面図。
【図９】従来の外装材取付具を示す斜視図。
【図１０】従来の外装材取付具を示す正面図。
【図１１】従来の外装材取付具の取付方法を示す断面図。
【符号の説明】
【００２６】
１０，３０・・・外装材取付具
１１・・・固定部
１２・・・水平部
１３・・・上側係止部（弾性押圧部）
１４・・・下側係止部
１５・・・ネジ
１６・・・取付孔
１７・・・補強板
２０・・・外装材
２０ａ・・・雌実部
２０ｂ・・・雄実部
２０ｃ・・・係止溝
２０ｄ・・・係合突起
２１・・・コーキング材
２２・・・下地
５０・・・外装材最終取付具
１００・・・外装材取付具
１１０・・・固定部
１２０・・・水平部
１３０・・・立上り部
１３１・・・突起
１４０・・・下側係止部
１５０・・・ネジ
１６０・・・取付孔
２００・・・外装材
２２０・・・下地
【図１】
0005275614.tif 000002
【図２】
0005275614.tif 000003
【図３】
0005275614.tif 000004
【図４】
0005275614.tif 000005
【図５】
0005275614.tif 000006
【図６】
0005275614.tif 000007
【図７】
0005275614.tif 000008
【図８】
0005275614.tif 000009
【図９】
0005275614.tif 000010
【図１０】
0005275614.tif 000011
【図１１】
0005275614.tif 000012